(57)【要約】【課題】  携帯電話機のカメラで撮影した写真データを自動でトリミングするプログラムを提供する。【解決手段】  携帯電話機用トリミングプログラムは、カメラと、撮影したデータを処理するプロセッサと、メモリとを有する携帯電話機にインストール可能であり、画像としての保存を希望するために４つのマーカを配置することにより形成された矩形状の仮想枠で囲まれた原稿上の領域を、カメラによって４つのマーカと共に撮影して得られた写真データを処理する。プログラムは、写真データから４つのマーカを自動で検出する手順と、検出された４つのマーカにて画定される矩形領域を写真データから自動でトリミングして画像データを生成する手順と、を含む。【選択図】図４
2013161425.tif 000002
【特許請求の範囲】
【請求項１】
カメラと、撮影したデータを処理するプロセッサと、メモリとを有する携帯電話機にインストール可能であり、画像としての保存を希望するために４つのマーカを配置することにより形成された矩形状の仮想枠で囲まれた原稿上の領域を、前記カメラによって前記４つのマーカと共に撮影して得られた写真データを処理する携帯電話機用トリミングプログラムであって、
前記写真データから前記４つのマーカを自動で検出する手順と、
検出された４つのマーカにて画定される矩形領域を前記写真データから自動でトリミングして画像データを生成する手順と、
を含むことを特徴とする携帯電話機用トリミングプログラム。
【請求項２】
カメラと、撮影したデータを処理するプロセッサと、メモリとを有する携帯電話機にインストール可能であり、台紙の上に４つのマーカにより形成された矩形の仮想領域内に配置された原稿を前記４つのマーカと共にカメラにより撮影して得られた写真データを処理する携帯電話機用トリミングプログラムであって、
前記写真データから自動で前記４つのマーカを検出する手順と、
前記４つのマーカにて画定される矩形領域を前記写真データから自動でトリミングして画像データを生成する手順と、
を含むことを特徴とする携帯電話機用トリミングプログラム。
【請求項３】
さらに、
前記画像データにタグを付す手順と、
前記画像データを前記タグと共に前記メモリに保存する手順と、
前記画像データを前記タグと共に外部の記憶装置に送信する手順を有することを特徴とする請求項１または２に記載の携帯電話機用トリミングプログラム。
【請求項４】
さらに、
自動的に画像データに含まれる文字情報を読み取って文字データに変換する手順を有することを特徴とする請求項１または２に記載の携帯電話機用トリミングプログラム。
【請求項５】
前記携帯電話機は、スマートフォンであることを特徴とする請求項１から４のいずれか一に記載の携帯電話機用トリミングプログラム。
【請求項６】
カメラと、撮影したデータを処理する制御部と、メモリとを有する携帯電話機であって、
前記制御部は、
画像としての保存を希望するために４つのマーカを配置することによって形成された矩形状の仮想枠で画定された原稿上の領域を、前記カメラにより前記４つのマーカと共に撮影して写真データを生成する手段と、
前記写真データから前記４つのマーカを自動で検出する手段と、
検出された４つのマーカにて画定される矩形領域を前記写真データから自動でトリミングして画像データを生成する手段と、
を含むことを特徴とする携帯電話機。
【請求項７】
前記マーカは、付箋紙に形成されていることを特徴とする請求項６記載の携帯電話機。
【請求項８】
さらに、
自動的に画像データに含まれる文字情報を読み取って文字データに変換する手段を有することを特徴とする請求項６または７に記載の携帯電話機。
【請求項９】
前記制御部は、さらに、
前記４つのマーカを台紙の上に予め配置することにより設定された矩形の仮想領域内に配置された原稿を、前記４つのマーカと共にカメラにより撮影して写真データを生成する手段を有することを特徴とする請求項６記載の携帯電話機。
【請求項１０】
カメラと、撮影したデータを処理するプロセッサと、メモリとを含む携帯電話機を使用した画像の保存方法であって、
画像としての保存を希望する原稿上の領域の四隅の外側にマーカを配置することによって当該領域を内部に含む矩形の仮想枠を形成する工程と、
前記カメラにて前記領域を前記４つのマーカと共に撮影して写真データを生成する工程と、
前記写真データから前記４つのマーカを自動で検出する工程と、
前記写真データから、前記４つのマーカにて画定された矩形領域を自動でトリミングして画像データを生成する工程と、
前記画像データにタグを付してメモリに保存する工程と、
を含むことを特徴とする画像の保存方法。
【請求項１１】
カメラと、撮影したデータを処理するプロセッサと、メモリとを含む携帯電話機を使用した画像の保存方法であって、
４つのマーカにより矩形の仮想領域が設定された台紙の上に、前記仮想領域内に収まるように原稿を配置する工程と、
前記カメラにて前記原稿を前記４つのマーカと共に撮影して写真データを生成する工程と、
前記写真データから自動で前記４つのマーカを検出する工程と、
前記写真データから、前記４つのマーカにて画定された矩形領域を自動でトリミングして画像データを生成する工程と、
前記画像データにタグを付してメモリに保存する工程と、
を含むことを特徴とする画像の保存方法。
【発明の詳細な説明】
【技術分野】
【０００１】
本発明は、携帯電話機用トリミングプログラム、携帯電話機及び画像の保存方法に関する。
【背景技術】
【０００２】
世間には、名刺や書籍、雑誌、メモなど必要な部分のみを画像として簡単に保存したいというニーズが存在する。特に、名刺などは多量になるとかさばることも多く、保管が問題となっていた。
【発明の概要】
【発明が解決しようとする課題】
【０００３】
そこで、名刺を管理するために、カメラやスキャナで画像データとして取り込んでＯＣＲで読み取り文字データに変換するアプリケーションが存在する。しかしながら、名刺には多種多様なフォントが使用されるためにＯＣＲで読み取ったとしても読み取った結果に対する確認作業が必要となり、煩雑な作業となる。
【０００４】
また、スマートフォンのカメラやスキャナで取り込んだ画像を、アプリケーションのトリミング機能を使用して手作業でトリミングする作業は、トリミング箇所を目視で確認する必要があり、これも煩雑な作業となっていた。
【０００５】
本発明は、斯かる実情に鑑み、名刺や書籍、雑誌、メモなど必要な部分のみを画像として簡単に保存できる携帯電話機用トリミングプログラム、携帯電話機及び画像の保存方法を提供しようとするものである。
【課題を解決するための手段】
【０００６】
本発明の携帯電話機用トリミングプログラムは、カメラと、撮影したデータを処理するプロセッサと、メモリとを有する携帯電話機にインストール可能であり、画像としての保存を希望するために４つのマーカを配置することにより形成された矩形状の仮想枠で囲まれた原稿上の領域を、前記カメラによって前記４つのマーカと共に撮影して得られた写真データを処理する携帯電話機用トリミングプログラムであって、前記写真データから前記４つのマーカを自動で検出する手順と、検出された４つのマーカにて画定される矩形領域を前記写真データから自動でトリミングして画像データを生成する手順と、を含む。
【０００７】
本発明の携帯電話機用トリミングプログラムは、カメラと、撮影したデータを処理するプロセッサと、メモリとを有する携帯電話機にインストール可能であり、台紙の上に４つのマーカにより形成された矩形の仮想領域内に配置された原稿を前記４つのマーカと共にカメラにより撮影して得られた写真データを処理する携帯電話機用トリミングプログラムであって、前記写真データから自動で前記４つのマーカを検出する手順と、前記４つのマーカにて画定される矩形領域を前記写真データから自動でトリミングして画像データを生成する手順と、を含む。
【０００８】
上記プログラムでは、書籍や雑誌などの一部分の掲載記事など、画像としての保存を希望する領域を４つのマーカを配置することによって矩形状の仮想枠で囲み、当該領域を４つのマーカと共に携帯電話機のカメラにて撮影して写真データとして携帯電話機に取り込む。又は、保存予定の原稿の大きさが予め分かっている場合、台紙の一面に４つのマーカを配置することによって予め当該大きさに相当する仮想領域を設け、次に、原稿を、当該仮想領域内に収まるように配置してから、４つのマーカと共に携帯電話機のカメラにて撮影して写真データとして携帯電話機に取り込む。
【０００９】
いずれの場合においても、上記プログラムは、写真データが取り込まれると、写真データから４つのマーカを自動で検出し、検出された４つのマーカにて画定される矩形領域を写真データから自動でトリミングして画像データを作成する。従って、画像として保存を希望する原稿上の領域を４つのマーカを配置することによって画定したり、又は台紙の上に原稿を載せてカメラで４つのマーカと共に撮影するだけで、当該原稿の領域や原稿そのものに相当する画像データが簡単に作成される。
【００１０】
好ましくは、さらに、前記画像データにタグを付す手順と、前記画像データを前記タグと共に前記メモリに保存する手順と、前記画像データを前記タグと共に外部の記憶装置に送信する手順を有する。画像データにタグを付すことによって、検索など、複数個の画像データを簡単に管理することができる。また、外部の記憶装置に送信することによって、携帯電話機内のメモリに記憶される画像データのデータ量を抑制することができ、携帯電話機のメモリの軽量化を図ることができる。
【００１１】
好ましくは、さらに、自動的に画像データに含まれる文字情報を読み取って文字データに変換する手順を有する。画像データから文字情報を自動的に読み取って文字データに変換することで、原稿状の領域に含まれる文字情報を文字データとして容易に扱うことが可能となる。
【００１２】
好ましくは、前記携帯電話機は、スマートフォンである。専用の端末を必要としないため、プログラムをダウンロードするだけで、スマートフォンのカメラ機能を利用して、当該プログラムを簡単に使用して画像データを保存することができる。
【００１３】
本発明の携帯電話機は、カメラと、撮影したデータを処理する制御部と、メモリとを有する携帯電話機であって、前記制御部は、画像としての保存を希望するために４つのマーカを配置することによって形成された矩形状の仮想枠で画定された原稿上の領域を、前記カメラにより前記４つのマーカと共に撮影して写真データを生成する手段と、前記写真データから前記４つのマーカを自動で検出する手段と、検出された４つのマーカにて画定される矩形領域を前記写真データから自動でトリミングして画像データを生成する手段と、を含む。
【００１４】
上記構成により、画像として希望する原稿の一部領域を４つのマーカを配置することによって形成される仮想枠で囲んだり、又は、予め４つのマーカが配置されることによって台紙に形成された矩形の仮想領域内に原稿を配置した後に、仮想枠内の領域や仮想領域内の原稿を４つのマーカと共にカメラにより撮影して写真データを生成し、写真データから４つのマーカを自動で検出し、検出された４つのマーカにて画定される矩形領域を写真データから自動でトリミングすることによって画像データが生成される。
【００１５】
好ましくは、前記マーカは、付箋紙に形成されている。従って、書籍や雑誌などの原稿の上に、付箋紙を付着するだけで、マーカを付すことができる。
【００１６】
好ましくは、自動的に画像データに含まれる文字情報を読み取って文字データに変換する手段を有する。画像データから文字情報を自動的に読み取って文字データに変換することで、原稿状の領域に含まれる文字情報を文字データとして容易に扱うことが可能となる。
【００１７】
好ましくは、前記制御部は、さらに、前記４つのマーカを台紙の上に予め配置することにより設定された矩形の仮想領域内に配置された原稿を、前記４つのマーカと共にカメラにより撮影して写真データを生成する手段を有する。従って、台紙の上に原稿を載せて写真を撮ると、不要な部分を含まない、保存を希望する原稿のみの画像データが生成される。
【００１８】
本発明の画像の保存方法は、カメラと、撮影したデータを処理するプロセッサと、メモリとを含む携帯電話機を使用した画像の保存方法であって、画像としての保存を希望する原稿上の領域の四隅の外側にマーカを配置することによって当該領域を内部に含む矩形の仮想枠を形成する工程と、前記カメラにて前記領域を前記４つのマーカと共に撮影して写真データを生成する工程と、前記写真データから前記４つのマーカを自動で検出する工程と、前記写真データから、前記４つのマーカにて画定された矩形領域を自動でトリミングして画像データを生成する工程と、前記画像データにタグを付してメモリに保存する工程と、を含む。
【００１９】
本発明の画像の保存方法は、カメラと、撮影したデータを処理するプロセッサと、メモリとを含む携帯電話機を使用した画像の保存方法であって、４つのマーカにより矩形の仮想領域が設定された台紙の上に、前記仮想領域内に収まるように原稿を配置する工程と、前記カメラにて前記原稿を前記４つのマーカと共に撮影して写真データを生成する工程と、前記写真データから自動で前記４つのマーカを検出する工程と、前記写真データから、前記４つのマーカにて画定された矩形領域を自動でトリミングして画像データを生成する工程と、前記画像データにタグを付してメモリに保存する工程と、を含む。
【００２０】
上記方法により、画像として保存を希望する書籍や雑誌の一部分を領域として囲むように４つのマーカを配置することによって矩形の仮想枠を原稿上に形成し、当該領域を４つのマーカと共にカメラにて撮影して写真データを生成する。又は、原稿が、名刺など予め大きさが分かっている場合、予め当該大きさに相当する仮想領域を４つのマーカによって形成した台紙を用意し、当該仮想領域内に収まるように原稿を配置してから、原稿を４つのマーカと共に携帯電話機のカメラにて撮影して写真データを生成する。いずれの場合においても、写真データが生成されると、写真データから４つのマーカが自動で検出され、検出された４つのマーカにて画定される矩形領域が写真データから自動でトリミングされて画像データが作成される。従って、画像として保存を希望する原稿上の一部分の領域を４つのマーカを配置することによって画定したり、又は台紙に原稿を配置してから、当該原稿上の領域や原稿そのものを４つのマーカと共にカメラで撮影するだけで、当該原稿上の領域や原稿そのものに相当する画像データが簡単に作成される。
【発明の効果】
【００２１】
本発明によれば、たとえば名詞や書籍、雑誌、又はメモなどの必要な部分だけを写真に撮るだけで、画像データとして簡単に保存することができる。
【図面の簡単な説明】
【００２２】
【図１】本発明の一実施の形態に係る携帯電話機を示す。
【図２】携帯電話機の機能を示すブロック図である。
【図３】書籍や雑誌の一部分のみの画像データを生成する手順を説明する図である。
【図４】本発明のプログラム及び画像の保存方法を説明するフローチャートである。
【図５】大きさが予め決まっている原稿の画像データを生成する手順を説明する図である。
【図６】使用される付箋紙の概略図である。
【発明を実施するための形態】
【００２３】
以下、本発明の実施の形態を添付図面を参照して説明する。
【００２４】
図１に、本発明のプログラムがインストールされる携帯電話機１を示す。携帯電話機１は、例えば、NTT DoCoMo（登録商標）やau（登録商標）、SOFTBANK（登録商標）などから販売されているスマートフォンである。携帯電話機１は、図２に示すように、カメラとしての内蔵カメラ２と、機種に搭載しているＯＳに対応するアプリケーションを実行可能な制御部としてのプロセッサ３と、アプリケーションそのものやカメラで撮影した写真データやアプリケーションにより生成されたデータを保存するためのメモリ４と、データの送受信を可能とする通信部５とを備えている。なお、携帯電話機１として、スマートフォンの他に、カメラ機能及び通信機能を有し且つ本発明のプログラムを実行可能とするＰＤＡ、ポケットコンピュータなどの適宜のモバイル端末を用いることができる。
【００２５】
本発明の一実施の形態であるプログラムは、携帯電話機１の画面６を適宜操作することによりインターネットなどを介してダウンロード可能であって、携帯電話機１にインストール可能であり、インストールされると適宜のウィジェットを画面６に作成する。また、当該プログラムは、アプリケーションとしてプロセッサ３により実行可能であり、内蔵カメラ２によって撮影された写真データを自動でトリミングすることによって、保存を希望した画像データを生成する。
【００２６】
また、メモリ４には、光学式文字認識（ＯＣＲ）アプリケーションを記憶させることもできる。ＯＣＲアプリケーションは、ユーザの設定により、上記プログラムと連動して起動させることもできる。
【００２７】
以下、上記プログラムの動作について、図３及び図４を参照しながら説明する。まず、図３（ａ）に示すように、画像として保存を希望する文書や図などの部分１０を含む書籍又は雑誌、メモを原稿として準備する（ステップＳ１）。次に、マーカ付箋紙２０を４枚用意し、各付箋紙２０の一端部に形成されたマーカ部２１で、当該部分１０を囲い込むように、さらに、各マーカ部２１が距離を隔てて直接対向するように付箋紙２０の各々を配置して、４つのマーカ部２１によって画定され且つマーカ部２１が四隅の外側に配置される矩形の仮想枠１１を原稿上に形成する。このとき、仮想枠１１内に、原稿の部分１０が含まれるように、付箋紙２０を移動させることによって、マーカ部２１の位置を調整する。
【００２８】
次に、画面６上の対応するウィジェットにタッチすることにより当該プログラムに対応したアプリケーションを起動すると（ステップＳ２）、携帯電話機１は内蔵カメラ２による撮影モードになる。次に、内蔵カメラ２を用いて、対象部分１０を４つのマーカ部２１と共に撮影して（ステップＳ３）、図３（ｂ）に示すように、対象部分１０及び４つのマーカ部２１を含む写真データを生成する。このとき、写真データは、メモリ内のテンポラリメモリ４に一時保存される（ステップＳ４）。
【００２９】
次に、写真データの生成に反応して、プロセッサ３は、自動的に、写真データの中からマーカ部２１の検出処理を開始する（ステップＳ５）。４つのマーカ部２１が検出されると（ステップＳ６：ＹＥＳ）、プロセッサ３は、図３（ｂ）に示すように、検出された４つのマーカ部２１によって画定される矩形領域１１Ａを設定する。この矩形領域１１Ａに相当するデータを写真データから自動でトリミングし（ステップＳ７）、図３（ｃ）に示すように、画像データを生成する。なお、必要に応じて、トリミングをするときに、画像データの傾き補正や矩形領域の形状の補正が行われ（ステップＳ８）、当該画像データはメモリ４の披瀝フォルダに保存される（ステップＳ９）。このとき、当該画像データの検索を容易とするために、画像データに、画像の説明をタグとして付すことができる。あるいは、オプションとして、通信部５を使用して、画像データをタグと共に、外部の記憶装置に向けて送信することもできる（ステップＳ１０）。この場合、画像データの送信が終了した時に、当該画像データをメモリ４から削除して、携帯電話機１のメモリ４の軽量化を図る。
【００３０】
なお、ユーザ設定により、当該プログラムをＯＣＲアプリケーションと連動させている場合、トリミング終了（ステップＳ７）に画像データが生成されると、プロセッサ３は、自動的にＯＣＲアプリケーションを起動させて画像データから文字情報を読み取って文字データに変換し、変換後の文字データをメモリ４に保存することもできる。
【００３１】
撮影が終了したら（ステップＳ１１：ＹＥＳ）、アプリケーションを終了する（ステップＳ１２）。
【００３２】
一方、ステップＳ６にて４つのマーカ部２１が検出されなかった場合、エラーダイアログが画面６に表示されて（ステップＳ１１）、撮影モードに戻る（ステップＳ３）。
【００３３】
又は、画像として保存を希望する原稿が、名刺などのように予め大きさが分かっている場合、図５（ａ）に示すように、台紙３０の一主面に４つのマーカ３１を予め配置することにより、原稿よりも若干面積が広い矩形の仮想領域３２を設ける。マーカ３１付きの台紙３０は、印刷などによって作成することができる。図５（ｂ）に示すように、名刺３３を台紙３０の仮想領域３２内に収まるように配置し、内蔵カメラ２により撮影して写真データを作成することもできる。この場合、当該アプリケーションによって、図５（ｃ）に示すように、名刺３３に対応した画像データ３３Ａを作成することができる。
【００３４】
また、マーカ付箋紙２０は、図６に示すように、紙やプラスチックフィルムなどの短冊状のシート部材からなり、一主面の長手方向の一端部に例えば黒色からなるマーカ部２１が形成されている。マーカ部２１のシート部材の厚みを隔てた反対側の主面には、原稿に対し剥離自在に形成された粘着部２２が形成されている。従って、粘着部２２を原稿に対して粘着させるだけで、原稿に対し、容易にマーカ部を配置することができる。本実施の形態では、マーカ部２１の形状を矩形としたが、矩形に限られず、円形や、動物もしくは果物などの適宜の図柄を用いることができる。
【００３５】
本発明のプログラムにより、粘着部の裏側にマーカ部を有する付箋紙の４枚を、保存を希望する書籍や雑誌の部分の外側にそれぞれ配置して、当該部分を矩形の仮想枠で囲い、当該部分と４つのマーカ部とを携帯電話機のカメラで撮影するだけで、仮想枠内の部分を自動的にトリミングして当該部分に対応した画像データを簡単に作成することができる。写真データに含まれる４つのマーカ部を使用してトリミングが自動的に行われるので、時間がかからず、保存を希望する部分を専用の付箋紙で指定するだけで、当該部分に対応した画像データを容易に得ることができる。このように、保存を希望する書籍の部分やメモが画像で保存されるので、携帯電話機の使用に疎い人や子供でも簡単に利用することができる。
【００３６】
また、名刺などのように予め原稿のサイズが規定されている原稿については、専用の台紙の上に置いて撮影するだけで自動的にトリミングが行われ、画像データが作成される。この画像データにタグを付しておけば、当該画像データの検索などの管理を容易に行うことができる。
【００３７】
さらに、必要に応じて、画像データに含まれる文字情報を文字データとして抽出でき、原稿に含まれる文字データの管理を容易にすることができる。
【００３８】
また、トリミングして作成された画像データを、メールやtwitterなどのソーシャルネットワークや、外部の記憶装置に任意に送信することができる。また、所定枚数の画像データがメモリ４に保存されると、その後の画像データの生成に伴い、撮影の日付の古い順から順次外部の記憶装置に送信するようにアプリケーションを作成しておけば、携帯電話機のメモリに画像データを大量に残さないので、携帯電話のメモリ容量の軽量化が可能となる。
【符号の説明】
【００３９】
１    携帯電話機
２    内蔵カメラ
３    プロセッサ
４    メモリ
１１    仮想枠
２０    付箋紙
２１    マーカ部
３０    台紙
３２    仮想領域
【図１】
2013161425.tif 000003
【図２】
2013161425.tif 000004
【図３】
2013161425.tif 000005
【図４】
2013161425.tif 000006
【図５】
2013161425.tif 000007
【図６】
2013161425.tif 000008